(57)【要約】【課題】水と洗剤とが混合された洗浄液を高圧で噴射することにより、ほ乳びんや乳首及びほ乳びんのキャップに付いた汚れを取り除く洗浄処理を行い、乾燥及び殺菌を行い得るほ乳びん洗浄機を提供する。【解決手段】本発明によるほ乳びん洗浄機においては、高圧の洗浄液を噴射し、ほ乳びんを洗浄するときに、ほ乳びんやほ乳びんのキャップが回転しないように支持できる支持具を提供し、安定してほ乳びんを洗浄することができ、ほ乳びん洗浄室内に収容されたほ乳びんの上、中、下部に洗浄液を噴射するために、ノズル配管を一体に設けることにより、ノズル配管の設置作業を簡単化できることを特徴とする。【選択図】図２３
2004529706.tif 000002
【特許請求の範囲】
【請求項１】
内部に複数のほ乳びんやほ乳びんのキャップ及び乳首を収容できるほ乳びん洗浄室を備え、洗浄液を前記ほ乳びん洗浄室に供給するための給液具と、ほ乳びんの洗浄後に洗浄液を外部に排出するための排出口とが形成された本体と、
前記ほ乳びん洗浄室にほ乳びんを取り込み、取り出しするために、開閉可能に前記本体に設置されたドアと、
前記収容されたほ乳びんやほ乳びんのキャップ及び乳首に洗浄液を噴射できるように前記ほ乳びん洗浄室に設けられた複数の噴射ノズルと、
前記複数の噴射ノズルに洗浄液を高圧で供給するためのポンプと、
前記ポンプを駆動するためのモータと、前記複数の噴射ノズルと前記ポンプの吐出口を連結し、前記本体の洗浄空間に設置されたノズル配管と、
前記ポンプの入口に連結され、ポンプに洗浄液を供給し、洗浄液の流入口に供給される洗剤と水とを混合するための洗浄液混合板が内部に設けられた洗浄液混合チャンバーと、
前記洗浄液混合チャンバーの前記洗浄液の流入口に連結された洗剤格納容器と、
前記洗浄液混合チャンバーの前記洗浄液の流入口に連結された給水栓と、
前記洗剤格納容器から前記混合チャンバーへの洗剤の供給を調整するための洗剤調整バルブと、
前記給水栓から前記混合チャンバーへの水の供給を調整するための給水調整バルブと、
前記モータ、前記洗剤調整バルブ及び前記給水調整バルブをそれぞれ制御したり、設定の順序で制御するための制御手段とを備えることを特徴とするほ乳びん洗浄機。
【請求項２】
前記複数のほ乳びんの入口が前記ほ乳びん洗浄室の底面から一定の間隔で離れており、前記ほ乳びん洗浄室の底面を対向して支持する複数のほ乳びん支持具と、前記複数のほ乳びんのキャップや前記複数の乳首が一方向に並んで収容される面を有する補助支持具とをさらに備え、
前記複数のノズルは、前記複数のほ乳びんの内部を洗浄するために、前記本体の底に設けられた複数の第１のノズルと、前記ほ乳びんの外部、ほ乳びんのキャップ、及び乳首を洗浄するための複数の第２のノズルとを備えることを特徴とする請求項１に記載のほ乳びん洗浄機。
【請求項３】
前記本体の底面は、洗浄液が容易に排出されるように、排出口から遠くなるほど高さが高くなるように傾斜していることを特徴とする請求項２に記載のほ乳びん洗浄機。
【請求項４】
前記本体の前面部に前記ほ乳びん洗浄室の内部を透視して見ることができる材料からなる透視窓をさらに備えることを特徴とする請求項２に記載のほ乳びん洗浄機。
【請求項５】
前記複数の第１のノズルが前記複数のほ乳びん支持具の第１の挿入リング上に延びていることを特徴とする請求項２に記載のほ乳びん洗浄機。
【請求項６】
前記複数の噴射ノズルの一部が回転ノズルであることを特徴とする請求項２に記載のほ乳びん洗浄機。
【請求項７】
前記洗浄液混合板の一部には、複数の貫通孔が設けられていることを特徴とする請求項２に記載のほ乳びん洗浄機。
【請求項８】
前記ほ乳びん支持具は、第１の挿入リングと、前記第１の挿入リングより直径の大きい第２の挿入リングと、前記第１の挿入リングと第２の挿入リングとを一定の間隔で平行に支持できるように前記第１の挿入リングと第２の挿入リングとを連結する挿入リング支持部材とを備えた複数のほ乳びん支持具ユニットから構成され、
前記補助支持具のほ乳びんのキャップと乳首とを取り外して収容する面は、ほ乳びんのキャップを収容する面と、乳首を収容する面とからなり、
前記複数のほ乳びん支持ユニットと前記補助支持具は、噴射液が通過できるワイヤフレームからなり、前記ほ乳びん支持ユニットは、前記補助支持具に結合されて一体になっていることを特徴とする請求項２に記載のほ乳びん洗浄機。
【請求項９】
前記補助支持具の上部に分離可能に取付けられるワイヤーフレーム板と、前記ワイヤーフレーム板のワイヤーの一部が延長され、前記ほ乳びんの底を押さえる複数の押さえバーからなるほ乳びん離脱防止具をさらに備えることを特徴とする請求項８に記載のほ乳びん洗浄機。
【請求項１０】
前記ほ乳びん離脱防止具のワイヤーフレーム板の上部に連結され、前記ドアを閉じた場合に、ドアと接触して前記ほ乳びん離脱防止具を押さえるプレッシングワイヤフレームをさらに備えることを特徴とする請求項９に記載のほ乳びん洗浄機。
【請求項１１】
前記洗浄された複数のほ乳びん、ほ乳びんのキャップ及び乳首を乾燥するために、空気を加熱するヒーターと、前記加熱された空気を前記ほ乳びん洗浄室に吹き込むブロワーと、前記ブロワーから排出される空気を前記ほ乳びん洗浄室に案内する空気配管をさらに備え、
前記本体には、前記空気配管を収容するための穴をさらに設けており、
前記制御手段は、前記ブロワーやヒーターを制御する機能をさらに備えていることを特徴とする請求項２乃至１０の何れかに記載のほ乳びん洗浄機。
【請求項１２】
前記ほ乳びん洗浄室の内部に収容された複数のほ乳びん、ほ乳びんのキャップ及び乳首を消毒するために、前記本体のほ乳びん洗浄室内に設けられた紫外線殺菌ランプをさらに備え、
前記制御手段は、前記紫外線殺菌ランプの点滅を調節する機能をさらに備えることを特徴とする請求項１１に記載のほ乳びん洗浄機。
【請求項１３】
前記制御器の設定の制御順序は、洗剤洗浄工程及び水洗浄工程を選択するステップを含み、
前記洗剤洗浄工程は、一定の時間の間、給水調整バルブを開放し、ポンプを作動して水洗浄を行うステップと、一定の時間の間、給水調整バルブや洗剤調整バルブを開放し、ポンプを作動して洗剤洗浄を行うステップと、再び一定の時間の間、給水調整バルブを開放し、ポンプを作動して水洗浄を行うステップと、一定の時間の間、紫外線殺菌ランプを点灯して殺菌するステップを含み、
前記水洗浄工程は、一定の時間の間、給水調整バルブを開放し、ポンプを作動して水洗浄を行うステップと、一定の時間の間、ヒーターやブロワーを作動して乾燥するステップと、一定の時間の間、紫外線殺菌ランプを点灯して殺菌するステップを含むことを特徴とする請求項１２に記載のほ乳びん洗浄機。
【請求項１４】
前記洗剤洗浄工程の水洗浄を行うステップと殺菌を行うステップとの間に、一定の時間の間、ヒーターやブロワーを作動して乾燥するステップをさらに含むことを特徴とする請求項１３に記載のほ乳びん洗浄機。
【請求項１５】
前記水洗浄工程の水洗浄を行うステップと殺菌を行うステップとの間に、一定時間の間、ヒーターやブロワーを作動して乾燥するステップをさらに含むことを特徴とする請求項１３に記載のほ乳びん洗浄機。
【請求項１６】
内部に一定量の水を溜めることができる容器体であり、前記本体の上部に取り外し可能に設けられ、底部に水を排出するための排出孔が設けられており、前記本体に設置したときに内部に溜まっている水が前記給水栓に排出されるようにするバルブ手段を有する供給水貯蔵容器をさらに備えることを特徴とする請求項２乃至１０に記載のほ乳びん洗浄機。
【請求項１７】
前記供給水貯蔵容器のバルブ手段は、前記供給水貯蔵容器の排出孔を内部で閉塞できる円板形状であり、前記排出孔を対向する面に排出孔を貫通するように設けられた突起と、前記突起の周りに付着されたゴムパッキングを備えるバルブ板と、
前記洗浄液の流入口の給水栓の内部に突出された突起を備えることを特徴とする請求項１６に記載のほ乳びん洗浄機。
【請求項１８】
前記本体の排出口から排出される洗浄液が流入される開口部が上部に設けられ、内部に一定量の水を溜めることができる容器体であり、前記本体の下部に取り外し可能に設けることができる手段を備える排出水貯蔵容器をさらに備えていることを特徴とする請求項１７に記載のほ乳びん洗浄機。
【請求項１９】
内部に一定量の水を溜めることができる容器体であり、前記本体の上部に取り外し可能に設けられ、底部に水を排出するための排出孔が設けられており、前記本体に設置したときに内部に溜まっている水が前記給水栓に排出されるようにするバルブ手段を有する供給水貯蔵容器をさらに備えることを特徴とする請求項１２乃至１５に記載のほ乳びん洗浄機。
【請求項２０】
前記供給水貯蔵容器のバルブ手段は、前記供給水貯蔵容器の排出孔を内部で閉塞できる円板形状であり、前記排出孔を対向する面に排出孔を貫通するように設けられた突起と、前記突起の周りに付着されたゴムパッキングを備えるバルブ板と、
前記洗浄液の流入口の給水栓の内部に突出された突起を備えることを特徴とする請求項１９に記載のほ乳びん洗浄機。
【請求項２１】
前記本体の排出口から排出される洗浄液が流入される開口部が上部に設けられ、内部に一定量の水を溜めることができる容器体であり、前記本体の下部に取り外し可能に設けることができる手段を備える排出水貯蔵容器をさらに備えていることを特徴とする請求項２０に記載のほ乳びん洗浄機。
【発明の詳細な説明】
【技術分野】
【０００１】
本発明は、ほ乳びんや乳首、ほ乳びんのキャップからなるほ乳びんの洗浄を自動的に行い得るほ乳びん洗浄機に関し、より詳しくは、水と洗剤とが混合された洗浄液を高圧で噴射することにより、ほ乳びんや乳首及びほ乳びんのキャップに付いた汚れを取り除く洗浄処理を行い、乾燥及び殺菌を行い得るほ乳びん洗浄機に関する。
【背景技術】
【０００２】
従来には、前記ほ乳びんや乳首及びほ乳びんのキャップをそれぞれ水や洗剤を使用して、たわしやほ乳びんの内部を拭い取ることができる簡単な道具を用いて手作業で洗浄を行っていた。
【０００３】
食器を洗浄するための食器洗浄機があるが、特に、ほ乳びんは、内部が奥深くなっており、ほ乳びんを洗浄するのが難しかった。
【０００４】
特に、外出の際に野外や車両などでほ乳びんを洗浄する場合に、水や洗剤のみを供給して簡単に洗浄できる携帯型ほ乳びん洗浄機の必要性が出ているが、未だ製品化には至っていない。
【発明の開示】
【発明が解決しようとする課題】
【０００５】
本発明は、上記問題点に鑑みなされたものであり、ほ乳びんや乳首、及びほ乳びんのキャップを自動的に洗浄できる新しいほ乳びん洗浄機を提供することを目的とする。
また、本発明は、ほ乳びんを洗浄した後、乾燥や殺菌を行い得るほ乳びん洗浄機を提供することを他の目的とする。
【０００６】
また、本発明は、外出の際に野外でも水のみを供給して簡単かつ衛生的にほ乳びんを洗浄できる携帯型ほ乳びん洗浄機を提供することを他の目的とする。
【０００７】
また、本発明は、高圧の洗浄液を噴射し、ほ乳びんを洗浄するとき、ほ乳びんやほ乳びんのキャップが回転しないように支持できる支持具を備えたほ乳びん洗浄機を提供することを他の目的とする。
【課題を解決するための手段】
【０００８】
上記の目的を達成するため、本発明によるほ乳びん洗浄機は、内部に複数のほ乳びんやほ乳びんのキャップ及び乳首を収容できるほ乳びん洗浄室を備え、洗浄液を前記ほ乳びん洗浄室に供給するための給液具と、ほ乳びんの洗浄後に洗浄液を外部に排出するための排出口とが形成された本体と、前記ほ乳びん洗浄室にほ乳びんを取り込み、取り出しするために、開閉可能に前記本体に設置されたドアと、前記収容されたほ乳びんやほ乳びんのキャップ及び乳首に洗浄液を噴射できるように前記ほ乳びん洗浄室の内部に設けられた複数の噴射ノズルと、前記複数の噴射ノズルに洗浄液を高圧で供給するためのポンプと、前記ポンプを駆動するためのモータと、前記複数の噴射ノズルと前記ポンプの吐出口を連結し、前記本体の洗浄空間に設置されたノズル配管と、前記ポンプの入口に連結され、ポンプに洗浄液を供給し、洗浄液の流入口に供給される洗剤と水とを混合するための洗浄液混合板が内部に設けられた洗浄液混合チャンバーと、前記洗浄液混合チャンバーの前記洗浄液の流入口に連結された洗剤格納容器と、前記洗浄液混合チャンバーの前記洗浄液の流入口に連結された給水栓と、前記洗剤格納容器から前記混合チャンバーへの洗剤の供給を調整するための洗剤調整バルブと、前記給水栓から前記混合チャンバーへの水の供給を調整するための給水調整バルブと、前記モータ、前記洗剤調整バルブ及び前記給水調整バルブをそれぞれ制御したり、設定の順序で制御するための制御手段とを備えることを特徴とする。
【０００９】
また、本発明によるほ乳びん洗浄機は、前記複数のほ乳びんの入口が前記ほ乳びん洗浄室の底面から一定の間隔で離れており、前記ほ乳びん洗浄室の底面を対向して支持する複数のほ乳びん支持具と、前記複数のほ乳びんのキャップや前記複数の乳首が一方向に並んで収容される面を有する補助支持具とをさらに備え、前記複数のノズルは、前記複数のほ乳びんの内部を洗浄するために、前記本体の底に設けられた複数の第１のノズルと、前記ほ乳びんの外部、ほ乳びんのキャップ、及び乳首を洗浄するための複数の第２のノズルとを備えることを特徴とする。
【００１０】
また、本発明によるほ乳びん洗浄機は、前記本体の底面は、洗浄液が容易に排出されるように、排出口から遠くなるほど高さが高くなるように傾斜していることを特徴とする。
【００１１】
また、本発明によるほ乳びん洗浄機は、前記本体の前面部に前記ほ乳びん洗浄室の内部を透視して見ることができる材料からなる透視窓をさらに備えることを特徴とする。
【００１２】
また、本発明によるほ乳びん洗浄機は、前記複数の第１のノズルが前記複数のほ乳びん支持具の第１の挿入リング上に延びていることを特徴とする。
【００１３】
また、本発明によるほ乳びん洗浄機は、前記複数の噴射ノズルの一部が回転ノズルであることを特徴とする。
【００１４】
また、本発明によるほ乳びん洗浄機は、前記洗浄液混合板の一部には、複数の貫通孔が設けられていることを特徴とする。
【００１５】
また、本発明によるほ乳びん洗浄機は、前記ほ乳びん支持具は、第１の挿入リングと、前記第１の挿入リングより直径の大きい第２の挿入リングと、前記第１の挿入リングと第２の挿入リングとを一定の間隔で平行に支持できるように前記第１の挿入リングと第２の挿入リングとを連結する挿入リング支持部材とを備えた複数のほ乳びん支持具ユニットから構成され、前記補助支持具のほ乳びんのキャップと乳首とを取り外して収容する面は、ほ乳びんのキャップを収容する面と、乳首を収容する面とからなり、前記複数のほ乳びん支持ユニットと前記補助支持具は、噴射液が通過できるワイヤフレームからなり、前記ほ乳びん支持ユニットは、前記補助支持具に結合されて一体になっていることを特徴とする。
【００１６】
また、本発明によるほ乳びん洗浄機は、前記補助支持具の上部に分離可能に取付けられるワイヤーフレーム板と、前記ワイヤーフレーム板のワイヤーの一部が延長され、前記ほ乳びんの底を押さえる複数の押さえバーからなるほ乳びん離脱防止具をさらに備えることを特徴とする。
【００１７】
また、本発明によるほ乳びん洗浄機は、前記ほ乳びん離脱防止具のワイヤーフレーム板の上部に連結され、前記ドアを閉じた場合に、ドアと接触して前記ほ乳びん離脱防止具を押さえるプレッシングワイヤフレームをさらに備えることを特徴とする。
【００１８】
また、本発明によるほ乳びん洗浄機は、前記洗浄された複数のほ乳びん、ほ乳びんのキャップ及び乳首を乾燥するために、空気を加熱するヒーターと、前記加熱された空気を前記ほ乳びん洗浄室に吹き込むブロワーと、前記ブロワーから排出される空気を前記ほ乳びん洗浄室に案内する空気配管をさらに備え、前記本体には、前記空気配管を収容するための穴をさらに設けており、前記制御器は、前記ブロワーやヒーターを制御する機能をさらに備えていることを特徴とする。
【００１９】
また、本発明によるほ乳びん洗浄機は、前記洗浄空間の内部に収容された複数のほ乳びん、ほ乳びんのキャップ及び乳首を消毒するために、前記本体のほ乳びん洗浄室内に設けられた紫外線殺菌ランプをさらに備え、前記制御手段は、前記紫外線殺菌ランプの点滅を調節する機能をさらに備えることを特徴とする。
【００２０】
また、本発明によるほ乳びん洗浄機は、前記制御器の設定の制御順序は、洗剤洗浄工程及び水洗浄工程を選択するステップを含み、前記洗剤洗浄工程は、一定の時間の間、給水バルブを開放し、ポンプを作動して水洗浄を行うステップと、一定の時間の間、給水バルブや洗剤バルブを開放し、ポンプを作動して洗剤洗浄を行うステップと、再び一定の時間の間、給水バルブを開放し、ポンプを作動して水洗浄を行うステップと、一定の時間の間、紫外線殺菌ランプを点灯して殺菌するステップを含み、かつ、前記水洗浄工程は、一定の時間の間、給水バルブを開放し、ポンプを作動して水洗浄を行うステップと、一定の時間の間、ヒーターやブロワーを作動して乾燥するステップと、一定の時間の間、紫外線殺菌ランプを点灯して殺菌するステップを含むことを特徴とする。
【００２１】
また、本発明によるほ乳びん洗浄機は、前記洗剤洗浄工程の水洗浄を行うステップと殺菌を行うステップとの間に、一定の時間の間、ヒーターやブロワーを作動して乾燥するステップをさらに含むことを特徴とする。
【００２２】
また、本発明によるほ乳びん洗浄機は、前記水洗浄工程の水洗浄を行うステップと殺菌を行うステップとの間に、一定時間の間、ヒーターやブロワーを作動して乾燥するステップをさらに含むことを特徴とする。
【００２３】
また、本発明によるほ乳びん洗浄機は、内部に一定量の水を溜めることができる容器体であり、前記本体の上部に取り外し可能に設けられ、底部に水を排出するための排出孔が設けられており、前記本体に設置したときに内部に溜まっている水が前記給水栓に排出されるようにするバルブ手段を有する供給水貯蔵容器をさらに備えることを特徴とする。
【００２４】
また、本発明によるほ乳びん洗浄機は、前記供給水貯蔵容器のバルブ手段が、前記供給水貯蔵容器の排出孔を内部で閉塞できる円板形状であり、前記排出孔を対向する面に排出孔を貫通するように設けられた突起と、前記突起の周りに付着されたゴムパッキングを備えるバルブ板と、前記洗浄液の流入口の給水栓の内部に突出された突起を備えることを特徴とする。
【００２５】
また、本発明によるほ乳びん洗浄機は、前記本体の排出口から排出される洗浄液が流入される開口部が上部に設けられ、内部に一定量の水を溜めることができる容器体であり、前記本体の下部に取り外し可能に設けることができる手段を備える排出水貯蔵容器をさらに備えていることを特徴とする。
【発明の効果】
【００２６】
このような本発明によるほ乳びん洗浄機によれば、ほ乳びんや乳首及びほ乳びんのキャップを自動的に洗浄できる新しいほ乳びん洗浄機を提供することができる。
【００２７】
また、本発明によれば、ほ乳びんを洗浄した後、乾燥及び殺菌を行い得るほ乳びん洗浄機を提供してほ乳びんを衛生的に使用することができる。
【００２８】
また、本発明によれば、外出の際に野外でも水のみを供給してほ乳びんを洗浄することが可能となり、便利かつ衛生的な携帯型ほ乳びん洗浄機を提供することができる。
【００２９】
また、本発明によれば、高圧の洗浄液を噴射してほ乳びんを洗浄するとき、ほ乳びんやほ乳びんのキャップが移動しないように支持できる支持具を提供して安定してほ乳びんを洗浄することができる。
【００３０】
また、ほ乳びん洗浄室内に収容されたほ乳びんの上、中、下部に洗浄液を噴射するために設けられるノズル配管を一体に構成し、ノズル配管の設置作業を簡単に行うことができる。
【発明を実施するための最良の形態】
【００３１】
以下、本発明の好ましい実施の形態を、添付図面に基づいて詳しく説明する。
【００３２】
図１は、本発明によるほ乳びん洗浄機の一実施の形態を示す斜視図であり、図２は、図１の正面図であり、図３は、図２のＡ−Ａ線断面図であり、図４は、図３のＢ−Ｂ線断面図である。
【００３３】
本発明の一実施の形態によるほ乳びん洗浄機は、ほ乳びん洗浄室１３０を備える本体１００と、前記本体の上部に開閉自在に設置されたドア２００と、本体のほ乳びん洗浄室１３０の他の箇所に設けられた駆動部１２０とから構成されている。また、本体１００には、洗浄液を前記ほ乳びん洗浄室に供給するための給液具１３９と、ほ乳びんの洗浄後、洗浄液を外部に排出するための排出口１３２が設けられている。前記排出口１３２は、本実施の形態においては、本体の側面に設けられているが、他の実施の形態として、本体の底部位に設けてもよい。
【００３４】
駆動部１２０には、図１６に示すように、噴射ノズルに洗浄液を高圧で供給するためのポンプ１２９と、前記ポンプを駆動するためのモータ１２７を備えており、かつ、前記ポンプの流入口に連結され、ポンプ１２９に洗浄液を供給し、洗浄液流入口に供給される洗剤と水とを混合するための洗浄液混合板１２４が内部に設けられた洗浄液混合チャンバー１２８を備えている。洗浄液混合板１２４は、複数の貫通孔１２４ａが設けられた板状になっている。前記貫通孔は、洗浄液混合板１２４の一部のみ設けてもよい。
【００３５】
また、洗剤格納容器１２２が前記洗浄液混合チャンバー１２８に連結されており、水を供給するための給水栓１２１もチャンバー１２８に連結されている。給水栓１２１とチャンバー１２８との間には、混合チャンバー１２８への水の供給を調整するための給水調整バルブ１２３ａが設けられ、洗剤格納容器１２２とチャンバー１２８との間には、洗剤の供給を調節するための洗剤調整バルブ１２３ｂが設けられている。
【００３６】
また、本体１００のほ乳びん洗浄室１３０内には、ほ乳びんを消毒するための紫外線殺菌ランプ３００が設けられている。前記紫外線殺菌ランプ３００は、制御手段１１０の制御により一定の時間の間点灯されて殺菌作業を行う。複数の紫外線殺菌ランプ３００をほ乳びん洗浄室の内部に設けてもよい。
【００３７】
また、後述するように、前記駆動部１２０には、洗浄されたほ乳びんを乾燥するために、空気を加熱するヒーター１２５と、前記加熱された空気を前記ほ乳びん洗浄室に吹き込むブロワー１２５ａとをさらに備えてもよい。前記ブロワー１２５ａは、モータ１２５ｂにより駆動される。ヒーター１２５により加熱された空気は、ほ乳びん洗浄室１３０と連結された空気配管１２６を介してほ乳びん洗浄室１３０に供給される。
【００３８】
また、前記ほ乳びん洗浄機の本体１００の前面には、ほ乳びん洗浄室１３０の内部を透視して見ることのできる材料からなる透視窓透視窓１０１が設けられている。
【００３９】
また、前記ドア２００の上部面には、ドア２００の開閉を容易化するための取っ手部２１０が設けられている。
【００４０】
制御手段１１０は、モータ１２７と、洗剤調整バルブ１２３ｂと、給水調整バルブ１２３ａと、ヒーター１２５と、ブロワーモータ１２５ｂと、殺菌紫外線ランプ３００とをそれぞれ制御したり、あるいは、設定の順序で所定の時間の間動作を制御したりすることができる。
【００４１】
制御手段１１０は、スイッチ、リレー、タイマーなどを用いて制御回路を機械式に構成してもよく、マイクロプロセッサを用いて電子式に制御してもよい。制御手段の選択は、当業者にとっては明らかなものであり、詳しい説明は省略する。
【００４２】
制御手段には、電源の供給を断続できるオン／オフボタン１１１と、それぞれ駆動部の制御対象を制御できる予備洗浄ボタン１１２と、洗剤洗浄ボタン１１３と、水洗浄ボタン１１４と、熱風殺菌ボタン１１５と、紫外線殺菌ボタン１１９とを備えている。また、ほ乳びん洗浄機の動作状態を示す表示窓１１６をさらに備えている。前記オン／オフボタン１１１と予備洗浄ボタン１１２との間には、１サイクル循環動作とや各単位別動作及び動作開始を選択できる設定／開始ボタン１１７がある。
【００４３】
一方、前記ほ乳びん洗浄機の本体１００の上部面とドア２００の下部面との間には、ドア２００が開くと、作動の電源を強制に遮断するためのスイッチ（ＳＷ）が設けられており、前記スイッチは、制御手段１１０に連結されている。
【００４４】
前記ほ乳びん洗浄室１３０の底は、排出ホース１５０に洗浄液が容易に排出されるように排出口１３２から制御手段１１０の方向に行くほど高さが益々高くなり、同時に排出口１３２から透視窓１０１の方向に行くほど高さが益々高くなる傾斜面１３１となっている。排出口１３２には、排出ホース１５０と螺合するネジが設けられている。
【００４５】
また、前記ほ乳びん洗浄室１３０の両壁の一側には、後述するほ乳びんのキャップ載置台を上部から一定の長さの下部に嵌合して回転しないように取り付け、ほ乳びんのキャップが後面上部に設けられたノズル配管から噴射される流体により洗浄されるように、ほ乳びんのキャップ載置台係止部１３４を備えている。前記ほ乳びんのキャップ載置台係止部１３４の他側には、後述する乳首載置台を上部から一定の長さの下部に嵌合して回転しないように取り付け、乳首の内側に噴射される流体に洗浄できるように、乳首載置台係止部１３５を備えている。
【００４６】
ここで、前記ほ乳びんのキャップ載置台係止部１３４や乳首載置台係止部１３５は、後述するほ乳びんのキャップ載置台や乳首載置台の回転を防止するように、四角溝状に設けられており、別の部材を設けて一緒に下りて係止してもよい。
【００４７】
また、前記ノズル配管１４０は、前記駆動部１２０のポンプ１２９と連結され、前記ほ乳びん洗浄室１３０の傾斜面１３１の中央に設置される第１のノズル管１４１と、前記駆動部１２０のポンプ１２９と連結され、前記ほ乳びん洗浄室１３０の前面や後面の下部に配置されるように設置された第２のノズル管１４２と、前記駆動部１２０のポンプ１２９と連結され、前記ほ乳びん洗浄室１３０の前面側壁や後面側壁の上部に配置されるように設置された第３のノズル管１４３と、前記第１のノズル管１４１の上部に垂直に立設され、洗浄液をほ乳びん（Ｗ）の内部に噴射するほ乳びん噴射ノズル１４４と、前記第２のノズル管１４２の長手方向の内側に一定の間隔で設けられ、洗浄液を噴射できるように設置された乳首噴射ノズル１４５と、前記第３のノズル管１４３の長手方向の内側に一定の間隔で設けられ、洗浄液を噴射できるように設置されたほ乳びんのキャップ噴射ノズル１４６とを備えている。
【００４８】
前記ノズル配管１４０には、複数の噴射ノズルを設けるか、あるいは、ノズル配管の自体に複数の穴１４４ａを設けており、噴射ノズルを使用することなく、洗浄液を噴射することができる。
【００４９】
一方、ほ乳びんのキャップ載置台１６０は、ほ乳びんのキャップ（Ｘ）を取り込んで収容するほ乳びんのキャップ固定部材１６１を一定の間隔で配列されるようにほ乳びんのキャップ固定部材支持台１６２に嵌合して前記ほ乳びん洗浄室１３０に備えたほ乳びんのキャップ載置台係止部１３４に支持でき、逆様になったほ乳びん（Ｗ）の底を加圧して洗浄時に遊動を抑制する。
【００５０】
前記ほ乳びんのキャップ固定部材１６１は、図３や図４、及び図６や図７に示すように、ヌック（ｎｕｋ）型ほ乳びんのキャップを固定するヌックほ乳びんのキャップ固定リング１６１ａと、このヌックほ乳びんのキャップ固定リング１６１ａの下部に配置されるように、連結ロッド１６１ｂでアベント（ａｖｅｎｔ）型のほ乳びんのキャップを固定するアベントほ乳びんのキャップ固定リング１６１ｃと、前記アベントほ乳びんのキャップ固定リング１６１ｃの下部に突出された連結ロッド１６１ｂの下端部に多角形孔が設けられた支持台嵌合部１６１ｄとから構成される。
【００５１】
一方、前記ほ乳びんのキャップ固定部材１６１は、図６の実施の形態においては、複数に分離されており、図２１の実施の形態のほ乳びんのキャップ固定部材１６１は、前記連結ロッド１６１ｂにより複数の前記ヌックほ乳びんのキャップ固定リング１６１ａと、アベントほ乳びんのキャップ固定リング１６１ｃとが一体に連結して設けられ、下部に一定の間隔で支持台嵌合部１６１ｄを備えて使用しても良い。
【００５２】
前記ほ乳びんのキャップ固定部材支持台１６２は、前記支持台嵌合部１６１ｄに嵌合され、前記ほ乳びんのキャップ載置台係止部１３４に取り付けられるハンガー支持部１６２ａと、このハンガー支持部１６２の一端部で「┐」形状に折り曲げられた位置移動部１６２ｂと、この位置移動部１６２ｂの他端に前記ハンガー支持部１６２ａと、平行に延長され、前記  逆様になったほ乳びん（Ｗ）の底を加圧するようになっているほ乳びん加圧部１６２ｃとから構成される。
【００５３】
また、ヌック型乳首（Ｙ）またはアベント型乳首（Ｚ）を選択的に嵌合して左右側に移動して固定し、前記乳首載置台係止部１３５に支持することにより、前記乳首噴射ノズル１４５に噴射される流体で洗浄される乳首載置台１７０を備えている。
【００５４】
ここで、前記乳首載置台１７０は、図３及び図８〜図１２に示すように、ヌック型乳首（Ｙ）を使用する場合、ヌック型乳首の挿入を案内するように弧状に一定の間隔で折り曲げられたヌック型乳首導入部１７１と、アベント型乳首（Ｚ）を使用する場合、アベント型乳首の挿入を案内するように弧状に一定の間隔で折り曲げられると共に、ヌック型乳首流入部導入部１７１と一定の間隔を置いて配置されたアベント型乳首導入部１７２と、前記ヌック型乳首導入部１７１と、アベント型乳首導入部１７２との間に配置されて選択的に嵌合されたヌック型乳首やアベント型乳首の下部を支持する乳首下部支持部１７３と、前記ヌック型乳首導入部１７１やアベント型乳首導入部１７２及び乳首下部支持部１７３の両端にそれぞれを一体に連結すると共に、長手方向に延長され、前記乳首載置台係止部１３５に回転しないように嵌合される回転防止支持台１７４とから構成される。
【００５５】
また、前記ほ乳びん噴射ノズル１４４の上部には、ほ乳びん支持部材１４７が設けられており、前記ほ乳びん（Ｗ）を安全に支持できる。
【００５６】
ほ乳びん支持部材１４７は、図１３に示すように、前記ほ乳びん噴射ノズル１４４の上部に嵌合して固定される固定リング部１４７ａと、この固定リング１４７ａに一定の間隔を置いて固定され、折り曲げ部がほ乳びん（Ｗ）の内部を支持するようになっているほ乳びん支持部１４７ｂと構成される。前記ほ乳びん支持部１４７ｂは、図１３においては、上部のみ設けられているが、下部にも対称して設けても良い。また、前記ほ乳びん支持部１４７ｂの折り曲げ部は、ほ乳びんの内側が損傷しないようにラウンド処理を十分に行う。また、ほ乳びん支持部の材質は、十分な弾性を有するものを使用してほ乳びんの直径に関わらずに、使用することができ、着脱が容易なものとする。
【００５７】
先ず、給水前にほ乳びん洗浄機を連結設置し、電源を接続した後、ほ乳びんの一体を洗浄するためには、前記ドア２００を開けてそれぞれのほ乳びん噴射ノズル１４４に洗浄したいほ乳びん（Ｗ）を嵌めて取り付けると、前記ほ乳びん支持部材１４７によりほ乳びん（Ｗ）が支持される。次に、前記ほ乳びんのキャップ載置台１６０にほ乳びんのキャップ（Ｘ）を収容したまま、図３に示すように、ほ乳びんのキャップ載置台係止部１３４にほ乳びんのキャップ固定部材支持台１６２のハンガー支持部１６２ａを嵌合して設けている。次に、前記乳首載置台１７０にヌック型乳首（Ｙ）またはアベント型乳首（Ｚ）のうち、使用する乳首を嵌めて前記回転防止支持台１７４を乳首載置台係止部１３５に乳首の内側が乳首噴射ノズル１４５に対向して嵌合すると、洗浄位置に載置される。次に、ドア２００を閉じ、制御手段１１０の設定／開始ボタン１１７を操作して洗剤洗浄または水洗浄工程を選択する。動作が終了した後、洗浄工程が十分でない場合には、それぞれのボタンを別に操作して追加の洗浄を行う。
【００５８】
駆動部１２０のそれぞれのバルブ１２３ａ、１２３ｂやモータ１２７は、洗浄工程により制御手段１１０の信号を受けて作動する。予備洗浄の時には、給水調整バルブ１２３ａが開いて水が供給され、ポンプのインペラ１２７ａが回転し、チャンバー１２８やポンプ１２９を介して第１のノズル管１４１やほ乳びん噴射ノズル１４４及びノズルまたは穴１４４ａを通してほ乳びん（Ｗ）の内部に水が噴射される。また、前記第２のノズル管１４２や乳首噴射ノズル１４５を通して乳首（Ｙ、Ｚ）の側に噴射され、第３のノズル管１４３とほ乳びんのキャップ噴射ノズル１４６とを通してはほ乳びんのキャップ（Ｘ）に水が噴射されて予備洗浄を行うことになる。
【００５９】
次に、洗剤洗浄時には、前記給水調整バルブ１２３ａや洗剤調整バルブ１２３ｂが全て開き、水や洗剤が同時に供給され、洗浄液混合板１２４で水と洗剤が混合され、前記予備洗浄時と同様に前記ほ乳びん噴射ノズル１４４や乳首噴射ノズル１４５及びほ乳びんのキャップ噴射ノズル１４６を通して水や洗剤の混合された洗浄液が噴射される。
【００６０】
次に、洗浄が終了すると、前記予備洗浄時と同様に、水のみが前記ほ乳びん噴射ノズル１４４や乳首噴射ノズル１４５及びほ乳びんのキャップ噴射ノズル１４６を通してほ乳びん（Ｗ）や乳首（Ｙ、Ｚ）及びほ乳びんのキャップ（Ｘ）に噴射される。
【００６１】
もちろん、前記予備洗浄や洗剤洗浄及び水洗浄時に洗浄液が排出ホース１５０を通して排出される。
【００６２】
次に、水洗浄が終了すると、ヒーター１２５で空気を加熱し、加熱された空気をブロワー１２５ａで空気配管１２６に流入させ、ほ乳びんを乾燥する。
【００６３】
次に、乾燥時または乾燥後に前記紫外線殺菌ランプ３００を点灯し、前記ほ乳びん（Ｗ）や乳首（Ｙ、Ｚ）及びほ乳びんのキャップ（Ｘ）を殺菌することができる。
【００６４】
洗浄が終了すると、前記ドア２００の取っ手部２１０を握ってドア２００を開けた後、前記ほ乳びんのキャップ載置台１６０をほ乳びん洗浄室１３０から取り外し、ほ乳びんのキャップ固定部材支持台１６２を支持台嵌合部１６１ｄから分離することにより、洗浄されたほ乳びんのキャップ（Ｘ）が得られる。
【００６５】
また、前記ほ乳びん（Ｗ）は、上方に持ち上げる動作だけで洗浄されたほ乳びん（Ｗ）を得ることができる。
【００６６】
前記乳首載置台１７０は、前記ほ乳びん洗浄室１３０の乳首載置台係止部１３５に沿って上部に持ち上げ、ほ乳びん洗浄室１３０から取り出した後、前記乳首（Ｙ、Ｚ）を前記ヌック型乳首導入部１７１やアベント型乳首導入部１７２に移動して洗浄された乳首（Ｙ、Ｚ）を取り出す。
【００６７】
前記乳首載置台１７０は、ヌック型乳首導入部１７１やアベント型乳首導入部１７２の何れかのみで構成して使用することができる。
【００６８】
一方、前記ノズル配管１４０の第２、３のノズル管１４２、１４３をほ乳びん洗浄機本体１００のほ乳びん洗浄室１３０に設置する方法は、図１４に示すように、ほ乳びん洗浄室１３０に固定溝１３６を設け、第２、３のノズル管１４２、１４３を溝に嵌合して設置する方法、あるいは、図１５に示すように、スクリューのような締め付け部材締め付け部材１３７を使用してほ乳びん洗浄室１３０に固定される仕切り固定部材１３８で第２、３のノズル管１４２、１４３を固定する方法がある。
【００６９】
また、前記ほ乳びん洗浄室１３０の内部は、錆びないステンレスの材質を用いることが好ましい。
【００７０】
また、洗浄液混合板１２４は、洗剤が供給されると、一部が閉塞されており、水と混合されて供給されるように洗剤投入面１２４ｂを有し、図１６に示すように、曲面状に折り曲げられていたり、あるいは、一定の角度で折り曲げられていても良い。
【００７１】
モータ１２７または制御手段１１０には、初期駆動及び起動時に位相角の制御のためにコンデンサを追加しても良く、さらに、使用用途によって食器ほ乳びん洗浄機用ポンプやモータを使用しても良い。
【００７２】
また、ポンプ１２９の吐出口には、前記第１、２、３のノズル管１４１、１４２、１４３に供給される洗浄水や洗剤の供給と噴射圧力を調整できるように、前記ノズル配管１４０の第１、２、３のノズル管１４１、１４２、１４３がそれぞれ嵌合される分岐連結管４００を設置しても良い。
【００７３】
一方、前記ノズル配管１４０のそれぞれのノズル管の端部は、図１７に示すように、図１６のポンプ１２９への取付けが容易となるように、フック１４１ａ、１４２ａ、１４３ａからなると共に、このフックの後方の外周面に２乃至３個の三からなるゴムパッキング１４１ｂ、１４２ｂ、１４３ｂが付着されて、水や洗剤の流出を防止し、連結が容易となる。
【００７４】
また、前記ほ乳びん（Ｗ）がさらに多く取り付けられる場合には、図１８示すように、ほ乳びんが嵌合される第１のノズル管１４１が２列に並んでおり、この第１のノズル管１４１に嵌合された両方のほ乳びん（Ｗ）の外観及び両方の下部に設けられた乳首を洗浄するように噴射される第２のノズル管１４２が設置され、かつ、前記第１のノズル管１４１に嵌合されたほ乳びん（Ｗ）の外側壁及び上部のほ乳びんのキャップに水や洗剤が噴射されるように第３のノズル管１４３をさらに設置してもよい。
【００７５】
一方、前記第１のノズル管１４１の上部には、図１９及び図２０に示すように、ほ乳びん（Ｗ）の口部を嵌合して支持できるほ乳びん取り付け具５００を前記ほ乳びん洗浄室１３０の内部に設けても良い。ほ乳びん（Ｗ）の口部を取付けるようになっている第１の挿入リング５１０が連結ロッド５２０により連続的に連結され、前記連結ロッド５２０から垂直に立てられた垂直連結ロッド５３０によりほ乳びんの口部が大きいものを嵌合して支持できるように第２の挿入リング５４０が設けられている。ここで、前記第１、第２の挿入リング５１０，５４０の何れか１つのみで構成しても良い。また、図２１において、前記アベントほ乳びんのキャップ固定リング１６１ｃ及びヌックほ乳びんのキャップ固定リング１６１ａの何れか１つのみで構成しても良い。
【００７６】
また、前記洗剤格納容器１２２は、図２２に示すように、上部に設けられた洗剤カバー１２２ａをスライディングして開閉できるように構成することが好ましい。
【００７７】
一方、図２３及び図２４は、本発明の第２の実施の形態によるほ乳びん洗浄機を示す分解斜視図及び要部断面図である。
【００７８】
本発明の第２の実施の形態においては、一体になった単一のノズル配管６１４を通してほ乳びんの内部や上下、内外周面に洗浄液が噴射されるようにノズル配管が配置されていることを特徴とする。
【００７９】
前記ノズル配管６１４は、ポンプ１２９に連結され、かつ、円形に設けられてほ乳びんの上部の外周面に噴射するようになっている第１の噴射面（６１４ａ、第２のノズル）と、前記第１の噴射面でほ乳びん洗浄機６００を構成する本体６１０の内側のほ乳びん洗浄室６１１の底に延びており、円形に設けられて所定の間隔でほ乳びんの口部が嵌合されるように、上方に突出された内部ノズル（Ｎ、第１のノズル）を含む第２の噴射面６１４ｂと、前記第２の噴射面から延長され、中央に垂直に立てされてほ乳びんや乳首及びほ乳びんのキャップに噴射するようになっている第３の噴射面６１４ｃとから構成される。
【００８０】
未説明符号６１２は、制御手段であり、６４０は、カバーである。
【００８１】
また、本発明の第２の実施の形態においては、前記ほ乳びん洗浄室６１１の内部には、ほ乳びんの種類によってほ乳びんの口部が取り付けられるように、設けられた複数のほ乳びん取り付け部（６２１、ほ乳びん支持具）と、このほ乳びん取り付け部（６２１、ほ乳びん支持具）と連結され、中央部が上部に一定の高さに突出され、中央部には複数の乳首が取り付けられ、周辺部には、ほ乳びんのキャップが取り付けられ、上部面の所定の位置には、上部に突出された突出ピン６２２ａを有する乳首／ほ乳びんのキャップ取り付け部（６２２、補助支持具）とからなるほ乳びん取り付け手段６２０を備えていることを他の特徴とする。
【００８２】
即ち、ほ乳びん取り付け部（６２１、ほ乳びん支持具）は、複数のほ乳びんの口部が前記ほ乳びん洗浄室６１１の底面から一定の間隔だけ離れており、前記ほ乳びん洗浄室６１１の底面に対向して支持され、乳首／ほ乳びんのキャップ取り付け部（６２２、補助支持具）は、前記複数のほ乳びんのキャップと前記複数の乳首とが一方向に並ぶように収容できる面を有する。また、所定の間隔を置いてほ乳びんの口部が嵌合されるように、上方に突出された内部ノズル（Ｎ、第１のノズル）を含む第２の噴射面６１４ｂは、前記複数のほ乳びんの内部を洗浄するために前記本体の底に設けられている。
【００８３】
また、ほ乳びんの底面を支持できるように延長され、所定の位置にフック６３１ａや穴６３１ｂを備えたほ乳びん支持部（６３１、押さえバー）と、このほ乳びん支持部６３１を支持できるように補強する補強部（６３２、ワイヤーフレーム板）を備えたほ乳びん支持手段（６３０、ほ乳びん離脱防止具）とを備えている。
【００８４】
従って、複数のほ乳びんやほ乳びんのキャップ及び乳首がほ乳びん洗浄室６１１内に一体に設けられたノズル配管６１４の内側にほ乳びん取り付け手段６２０やほ乳びん支持手段６３０により支持されるため、洗浄の際に移動したり、離脱したりすることがない。
【００８５】
一方、図２５は、本発明の第３の実施の形態によるほ乳びん洗浄機を示す分解斜視図であり、図２６は、図２５の要部断面図であり、図２７は、図２６の断面図である。
【００８６】
本発明の第３の実施の形態においては、第２の実施の形態と同様に、ノズル配管７１４がポンプ１２９に連結されて一体になっており、ほ乳びんの内部や上下、内外周面に噴射できるようになっていることを特徴とする。
【００８７】
ノズル配管７１４は、直線に延びており、ほ乳びんの上部の外周面に噴射する第１の噴射面（７１４ａ、第２のノズル）と、前記第１の噴射面からほ乳びん洗浄室７１１の底に延びており、さらに、底から直線に延び、所定の間隔でほ乳びんの口部が嵌合されるように上方に突出された内部ノズル（Ｎ、第１のノズル）を含む第２の噴射面７１４ｂと、前記第２の噴射面から側面に平行に延長され、ほ乳びんの下部外周面及び後述する乳首／ほ乳びんのキャップ取り付け部の乳首及びほ乳びんのキャップに噴射する第３の噴射面７１４ｃとから構成される。
【００８８】
また、本発明の第３の実施の形態においては、前記ほ乳びん洗浄室７１１の内部には、ほ乳びんの種類によってほ乳びんの口部が取付けられるように一定の間隔で配置された複数のほ乳びん取り付け部（７２１、ほ乳びん支持具）と、このほ乳びん取り付け部７２１と一側に延長され、内側には上部に一定の高さに突出され、乳首が一列に複数個取付けられ、ほ乳びん洗浄室７１１の壁面と近い側には、ほ乳びんのキャップが取付けられると共に、所定の位置には上部に突出された突出部７２２ａを備えた乳首／ほ乳びんのキャップ取り付け部（７２２、補助支持具）とを一体に構成したほ乳びん取り付け手段７２０を備えていることを他の特徴とする。
【００８９】
前記ほ乳びん取り付け手段７２０の上部には、ほ乳びんの後面を支持するように延長されると共に、所定の位置にフック７３１ａや前記突出部７２２ａが嵌合される穴７３１ｂを備えたほ乳びん支持部（７３１、押さえバー）と、このほ乳びん支持部７３１を一定の間隔で支持するように補強する補強部（７３２、ワイヤーフレーム板）を備えたほ乳びん支持手段（７３０、ほ乳びん離脱防止具）を備えている。
【００９０】
未説明符号７００は、ほ乳びん洗浄機であり、７１０は、本体であり、７１２は、制御手段であり、７４０は、カバーである。
【００９１】
従って、複数のほ乳びんやほ乳びんのキャップ及び乳首がほ乳びん洗浄室７１１内に一体に設けられたノズル配管７１４の内側にほ乳びん取り付け手段７２０やほ乳びん支持手段７３０により支持されているため、洗浄の際に、移動したり、離脱したりすることがない。
【００９２】
図２８は、ほ乳びん洗浄室に設置されるノズル配管の他の実施例を示す図である。
【００９３】
図２８に示すノズル配管は、一体に設けられ、ほ乳びんが載せられる部分のノズル配管もノズル（穴）を設け（第２の噴射面、第１のノズル）、ほ乳びんのキャップや乳首が載せられる部分に、ノズル（穴）を設けた（第１、第３噴射面、第２のノズル）構造である。
【００９４】
図２９は、回転ノズルの噴射形態を示す概略図である。
【００９５】
図２９に示すように、回転ノズルを使用する場合には、洗浄液が渦巻き状に旋回しながら拡大噴射され、ほ乳びんの内部を容易に洗浄することが可能となる。
【００９６】
図３０は、ほ乳びん離脱防止具上に設けられたプレッシングワイヤフレームの実施例を示す図である。
【００９７】
プレッシングワイヤフレームは、ほ乳びん離脱防止具７３０上に一定の角度で連結された複数の上部押さえバー６３５のみで設けるか、あるいは、前記上部押さえバー６３５に上部押さえ部材６３３を連結して構成しても良い。前記上部押さえバー６３５や上部押さえ部材６３３は、ドアを閉じたとき、ドアの面と接触して弾力的にほ乳びん離脱防止具７３０を押さえるようになる。
【００９８】
図３１は、ほ乳びん離脱防止具上に設けられたプレッシングワイヤフレームの他の実施例を示す図であり、ほ乳びん離脱防止具が多角形である場合である。
【００９９】
図３２は、ほ乳びん洗浄機の本体に供給水貯蔵容器が設けられた状態の側面図である。
【０１００】
図３２は、給水栓１２１が本体の後面から突出し、供給水貯蔵容器８００の底に設けられた排出孔の周りに設けられた環状突起８１０と接触し、１つのナット８４０が前記環状突起８１０と給水栓１２１の外部の雄ネジ部位とを共通して締め付けている状態を示している。
【０１０１】
前記環状突起８１０の下部には、漏水を防ぐために、パッキング８１１を設けている。
【０１０２】
図３３は、供給水貯蔵容器の斜視図である。供給水貯蔵容器８００は、内部にバルブ８３０を備えている。バルブ８３０は、円板形状であり、排出孔に設けられた環状突起８１０を貫くように設けられた突起８３１と、前記突起の周りに付着されたゴムパッキング８３２を備えている。供給水貯蔵容器８００は、内部に水が溜められる空間を設けている。また、底面は、排出孔から遠くなるほど高くなるように、傾斜しており、水が容易に排出できるようになっている。前記バルブ８３０は、供給水貯蔵容器に水が溜まっている場合、排出孔の周りにバルブのゴムパッキング８３２が密着し、水の排出を防止している。
【０１０３】
前記供給水貯蔵容器が本体上に載置されると、図３４に示すように、給水栓１２１の内部に設けられた突起１２１ａによりバルブが供給水貯蔵容器の上部に押し上げられ、供給水貯蔵容器の内部の水が給水栓１２１に供給されるようになる。
【０１０４】
図３５は、ほ乳びん洗浄機の本体に設けられた排出水貯蔵容器の設置状態図である。排出水貯蔵容器９００には、ほ乳びんを洗浄した水を溜めることができる内部空間を設けている。また、排出水貯蔵容器は、本体１００の下部に引き出し型に収納できるように両側面に突起が形成されており、本体１００の下部の排出水貯蔵容器の両側面と合う面には、前記突起を収容できる溝を設けている。逆に、排出水貯蔵容器に溝を設け、本体の下部に突起を形成しても良い。前記突起は、四角形断面、不等辺四辺形断面、円弧形断面を有するものであっても良い。
【０１０５】
前述のように、供給水貯蔵容器や排出水貯蔵容器を利用して、電源が供給されない野外でほ乳びんを洗浄する場合には、本発明によるほ乳びん洗浄機は、バッテリを電源として使用できるように、電圧変換機をさらに備えても良い。
【０１０６】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【０１０７】
【図１】本発明によるほ乳びん洗浄機の一実施の形態を示す斜視図である。
【図２】図１の正面図である。
【図３】図２のＡ-Ａ線断面図である。
【図４】図３のＢ-Ｂ線断面図である。
【図５】図４の洗浄駆動部を示す説明図である。
【図６】図３及び図４のほ乳びんのキャップ載置台を示す説明図である。
【図７】図６の右側面図である。
【図８】図３の乳首載置台を示す斜視図である。
【図９】図８の乳首載置台にヌック型の乳首が載置された状態を示す平面図である。
【図１０】図９の平面図である。
【図１１】図８の乳首載置台にアベント型の乳首が載置された状態を示す平面図である。
【図１２】図１１の平面図である。
【図１３】図３及び図４のほ乳びん支持部材を示す斜視図である。
【図１４】本発明によるほ乳びん洗浄室に溝を設け、ノズル管を設置する状態を示す説明図である。
【図１５】本発明によるほ乳びん洗浄室に締め付け部材を使用してノズル管を設置する状態を示す説明図である。
【図１６】図５の変形例を説明するための駆動部の断面図である。
【図１７】図１６のノズル配管を示す要部説明図である。
【図１８】図３のノズル管の変形例を説明するためのノズル配管の平面図である。
【図１９】本発明によるほ乳びん取り付け具を示す平面図である。
【図２０】図１９のほ乳びん取り付け具の斜視図である。
【図２１】図６及び図７のほ乳びんのキャップ載置手段の変形例を示す斜視図である。
【図２２】図１６の洗剤供給部を示す詳細説明図である。
【図２３】本発明によるほ乳びん洗浄機の他の実施の形態を示す分解斜視図である。
【図２４】図２３の要部断面図である。
【図２５】本発明によるほ乳びん洗浄機のさらに他の実施の形態を示す分解斜視図である。
【図２６】図２５の要部断面図である。
【図２７】図２６の断面図である。
【図２８】ほ乳びん洗浄室に設置されるノズル配管の他の実施の形態を示す図である。
【図２９】回転ノズルの噴射形態を示す概略図である。
【図３０】ほ乳びん離脱防止具上に設けられたプレッシングワイヤフレームの実施例を示す図である。
【図３１】ほ乳びん離脱防止具上に設けられたプレッシングワイヤフレームの他の実施例を示す図である。
【図３２】ほ乳びん洗浄機の本体に供給水貯蔵容器が設けられた状態を示す側面図である。
【図３３】供給水貯蔵容器の斜視図である。
【図３４】供給水貯蔵容器のバルブ手段の作動原理を示す概略図である。
【図３５】ほ乳びん洗浄機の本体に設けられた排出水貯蔵容器の設置状態図である。
【符号の説明】
【０１０８】
Ｗ      ほ乳びん
Ｘ      ほ乳びんのキャップ
Ｙ      ヌック型乳首（乳首）
Ｚ      アベント型乳首（乳首）
１００  ほ乳びん洗浄機本体（本体）
１０１  透視窓
１１０  制御手段
１２０  駆動部
１２３ａ  給水調整バルブ（バルブ）
１２３ｂ  洗剤調整バルブ（バルブ）
１２０  洗浄液混合チャンバー（チャンバーまたは液混合チャンバー）
１３０  ほ乳びん洗浄室
１４０  ノズル配管
１５０  排水ホース
１６０  ほ乳びんのキャップ載置台
１７０  乳首載置台
２００  ドア
２１０  取っ手部
３００  紫外線殺菌ランプ（紫外線ランプまたは殺菌紫外線ランプ）
４００  分岐連結管
５００  ほ乳びん取り付け具
６１４、７１４  ノズル配管
６２０、７２０  ほ乳びん取り付け手段
６２１  ほ乳びん取りつけ部（ほ乳びん支持具）
６２２  乳首／ほ乳びんのキャップ取り付け部（補助支持具）
６３０、７３０  ほ乳びん支持手段（離脱防止具）
６４０、７４０  ドア
８００  供給水貯蔵容器
９００  排出水貯蔵容器
【国際公開パンフレット】
2004529706.tif 000003
2004529706.tif 000004
2004529706.tif 000005
2004529706.tif 000006
2004529706.tif 000007
2004529706.tif 000008
2004529706.tif 000009
2004529706.tif 000010
2004529706.tif 000011
2004529706.tif 000012
2004529706.tif 000013
2004529706.tif 000014
2004529706.tif 000015
2004529706.tif 000016
2004529706.tif 000017
2004529706.tif 000018
2004529706.tif 000019
2004529706.tif 000020
2004529706.tif 000021
2004529706.tif 000022
2004529706.tif 000023
2004529706.tif 000024
2004529706.tif 000025
2004529706.tif 000026
2004529706.tif 000027
2004529706.tif 000028
2004529706.tif 000029
2004529706.tif 000030
2004529706.tif 000031
2004529706.tif 000032
2004529706.tif 000033
2004529706.tif 000034
2004529706.tif 000035
2004529706.tif 000036
2004529706.tif 000037
2004529706.tif 000038
2004529706.tif 000039
2004529706.tif 000040
2004529706.tif 000041
2004529706.tif 000042
2004529706.tif 000043
2004529706.tif 000044
2004529706.tif 000045
2004529706.tif 000046
2004529706.tif 000047
2004529706.tif 000048
2004529706.tif 000049
2004529706.tif 000050
2004529706.tif 000051
2004529706.tif 000052
2004529706.tif 000053
2004529706.tif 000054
2004529706.tif 000055
2004529706.tif 000056
2004529706.tif 000057
2004529706.tif 000058
【国際調査報告】
2004529706.tif 000059